(57)【要約】【課題】開口枠の下枠が変形した場合にも障子が傾くことを抑制して防火性能を良好なものとすること。【解決手段】建物開口に設けられた開口枠１０と、開口枠１０を構成する下枠１２のレール１２ｂを転動する戸車２６，３６を備え、かつ下枠１２の長手方向に沿って移動可能な障子２０，３０とを備え、障子２０，３０が移動することで開口枠１０の開口１５を開閉する建具において、開口１５が閉じた状態で、下枠１２の長手方向の中央部分１２ａの上方にて隣り合う他の障子３０（２０）と対向する縦框２３（３４）を有する障子２０（３０）は、戸車２６（３６）よりも耐火性に優れた材料により形成されたスペーサ部材４０を備え、スペーサ部材４０は、障子２０（３０）の重心よりも縦框２３（３４）側に位置し、かつレール１２ｂよりも上方に配設されている。【選択図】図４
2018168695.tif 000002
【特許請求の範囲】
【請求項１】
建物開口に設けられた開口枠と、
前記開口枠を構成する下枠のレールを転動する戸車を備え、かつ前記下枠の長手方向に沿って移動可能な障子と
を備え、
前記障子が移動することで前記開口枠の開口を開閉する建具において、
前記開口が閉じた状態で、前記下枠の長手方向の中央部分の上方にて隣り合う他の障子と対向する縦框、あるいは前記開口の一部を閉塞する閉塞部材と前記下枠の長手方向の中央部分の上方にて対向する縦框を有する障子は、前記戸車よりも耐火性に優れた材料により形成されたスペーサ部材を備え、
前記スペーサ部材は、前記障子の重心よりも前記縦框に近接する個所のみに配置されると共に、前記障子の下框の見込み面に取り付けられることにより、前記レールの上端部から上方に離隔した位置に配置されており、
前記スペーサ部材は、上面に凹部を有し、
前記下框は、前記見込み面に凸部を有し、
前記スペーサ部材は、前記凹部に前記凸部が挿入されることにより、前記下框の見込み面に対して見込み方向に位置決めされていることを特徴とする建具。
【請求項２】
請求項１に記載の建具であって、
前記スペーサ部材は、ネジが挿通される取付用貫通孔を有し、該取付用貫通孔を下から上に挿通した前記ネジによって前記下框の見込み面に締結されており、
前記ネジは、その頭部が前記取付用貫通孔内に収容され、前記レールの上端部と前記スペーサ部材との間に形成された空間には突出していないことを特徴とする建具。
【請求項３】
請求項２に記載の建具であって、
前記スペーサ部材の前記凹部は、前記上面の見込み方向で中央部分に設けられ、
前記下框は、前記見込み面を設けた板部に厚肉部を有すると共に、該厚肉部に前記凸が設けられ、
前記ネジは、前記厚肉部に対して螺合していることを特徴とする建具。
【請求項４】
請求項３に記載の建具であって、
前記スペーサ部材の上面には、前記凹部を跨いで見込み方向に並んだ一対の凸部が設けられ、
前記下框の見込み面には、前記凸部を跨いで見込み方向に並んだ一対の凹部が設けられ、
前記スペーサ部材の前記一対の凸部が、それぞれ前記下框の前記一対の凹部に挿入されていることを特徴とする建具。
【請求項５】
請求項１〜４のいずれか１項に記載の建具であって、
前記スペーサ部材は、前記レールの上端部に対向した状態で前記下框の見込み面に取り付けられる基部と、該基部の室外側端部より下方に向けて延在した下延部と、を有し、
前記下框は、前記見込み面の室外側端部より下方に向けて延在した壁部を有し、
前記スペーサ部材の前記下延部は、前記レールと前記壁部との間に配置されると共に、該レール及び該壁部に対して離隔した状態にあることを特徴とする建具。
【請求項６】
建物開口に設けられた開口枠と、
前記開口枠を構成する下枠のレールを転動する戸車を備え、かつ前記下枠の長手方向に沿って移動可能な障子と
を備え、
前記障子が移動することで前記開口枠の開口を開閉する建具において、
前記開口が閉じた状態で、前記下枠の長手方向の中央部分の上方にて隣り合う他の障子と対向する縦框、あるいは前記開口の一部を閉塞する閉塞部材と前記下枠の長手方向の中央部分の上方にて対向する縦框を有する障子は、前記戸車よりも耐火性に優れた材料により形成されたスペーサ部材を備え、
前記スペーサ部材は、前記障子の重心よりも前記縦框に近接する個所のみに配置されると共に、前記障子の下框の見込み面に取り付けられることにより、前記レールの上端部から上方に離隔した位置に配置されており、
前記スペーサ部材は、ネジが挿通される取付用貫通孔を有し、該取付用貫通孔を下から上に挿通した前記ネジによって前記下框の見込み面に締結されており、
前記ネジは、その頭部が前記取付用貫通孔内に収容され、前記レールの上端部と前記スペーサ部材との間に形成された空間には突出していないことを特徴とする建具。
【発明の詳細な説明】
【技術分野】
【０００１】
本発明は、建具に関し、より詳細には、例えば引き違い窓や片引き窓のように開口枠に障子を開閉移動させる建具に関するものである。
【背景技術】
【０００２】
従来、例えば引き違い窓のような開口枠に対して障子を支持させた建具が知られている。このような建具を構成する開口枠は、上枠、下枠及び一対の縦枠を四周枠組みして構成されている。また上記建具を構成する障子は、上框、下框及び一対の縦框を四周框組みして構成された框体に、ガラス板のような面材を保持させて構成されており、下框に樹脂製の戸車が設けられている。
【０００３】
このような建具においては、上記戸車が下枠に設けられたレールを転動することで、障子が下枠の長手方向に沿って開閉移動して開口枠の開口を開閉している（例えば、特許文献１参照）。
【先行技術文献】
【特許文献】
【０００４】
【特許文献１】特開２００６−１１８１５８号公報
【発明の概要】
【発明が解決しようとする課題】
【０００５】
ところで、上述した建具においては、図１０に示すように、開口枠１００を構成する各枠１１０，１２０等が建物躯体２に設けられたアンカー部材３に支持され、かつ各枠１１０，１２０等と建物躯体２との間の空間にモルタル等の充填材４が充填されたものがある。このように開口枠１００の各枠１１０，１２０等と建物躯体２との間に充填材４が充填された建具では、上記空間に、特にアンカー部材３の周辺に空隙が生ずることが知られている。
【０００６】
そのため、上記建具が火災等により加熱されると、開口枠１００を構成する下枠１２０は長手方向の中央部分が障子２００，３００の自重等により垂れ下がるように変形してしまうこととなり、しかも、障子２００，３００を構成する戸車２６０，３６０も溶融して消失してしまうこととなる。
【０００７】
これにより、障子２００，３００は、戸車２６０，３６０が消失して下框が下枠１２０のレールに載置された状態となり、下枠１２０の変形に応じて傾いてしまい、結果的に開口枠１００と障子２００，３００との間に隙間が生じてしまう。開口枠１００と障子２００，３００との間に隙間が生じてしまうと、その隙間を火炎等が通過して延焼してしまい、上記建具では防火性能が十分とはいえなかった。
【０００８】
本発明は、上記実情に鑑みて、開口枠の下枠が変形した場合にも障子が傾くことを抑制して防火性能を良好なものとすることができる建具を提供することを目的とする。
【課題を解決するための手段】
【０００９】
上記目的を達成するために、本発明に係る建具は、建物開口に設けられた開口枠と、前記開口枠を構成する下枠のレールを転動する戸車を備え、かつ前記下枠の長手方向に沿って移動可能な障子とを備え、前記障子が移動することで前記開口枠の開口を開閉する建具において、前記開口が閉じた状態で、前記下枠の長手方向の中央部分の上方にて隣り合う他の障子と対向する縦框、あるいは前記開口の一部を閉塞する閉塞部材と前記下枠の長手方向の中央部分の上方にて対向する縦框を有する障子は、前記戸車よりも耐火性に優れた材料により形成されたスペーサ部材を備え、前記スペーサ部材は、前記障子の重心よりも前記縦框に近接する個所のみに配置されると共に、前記障子の下框の見込み面に取り付けられることにより、前記レールの上端部から上方に離隔した位置に配置されており、前記スペーサ部材は、上面に凹部を有し、前記下框は、前記見込み面に凸部を有し、前記スペーサ部材は、前記凹部に前記凸部が挿入されることにより、前記下框の見込み面に対して見込み方向に位置決めされていることを特徴とする。
【００１０】
また、本発明に係る建具は、建物開口に設けられた開口枠と、前記開口枠を構成する下枠のレールを転動する戸車を備え、かつ前記下枠の長手方向に沿って移動可能な障子とを備え、前記障子が移動することで前記開口枠の開口を開閉する建具において、前記開口が閉じた状態で、前記下枠の長手方向の中央部分の上方にて隣り合う他の障子と対向する縦框、あるいは前記開口の一部を閉塞する閉塞部材と前記下枠の長手方向の中央部分の上方にて対向する縦框を有する障子は、前記戸車よりも耐火性に優れた材料により形成されたスペーサ部材を備え、前記スペーサ部材は、前記障子の重心よりも前記縦框に近接する個所のみに配置されると共に、前記障子の下框の見込み面に取り付けられることにより、前記レールの上端部から上方に離隔した位置に配置されており、前記スペーサ部材は、ネジが挿通される取付用貫通孔を有し、該取付用貫通孔を下から上に挿通した前記ネジによって前記下框の見込み面に締結されており、前記ネジは、その頭部が前記取付用貫通孔内に収容され、前記レールの上端部と前記スペーサ部材との間に形成された空間には突出していないことを特徴とする。
【発明の効果】
【００１１】
本発明によれば、開口枠の下枠が変形した場合にも障子が傾くことを抑制して防火性能を良好なものとすることができるという効果を奏する。
【図面の簡単な説明】
【００１２】
【図１】図１は、本発明の実施の形態である建具を室内側から示す外観図である。
【図２】図２は、本発明の実施の形態である建具の横断面図である。
【図３】図３は、本発明の実施の形態である建具の縦断面図である。
【図４】図４は、図３に示した要部を拡大して示す縦断面図である。
【図５−１】図５−１は、スペーサ部材の左側面図である。
【図５−２】図５−２は、スペーサ部材を室内側から見た図である。
【図５−３】図５−３は、スペーサ部材の底面図である。
【図６】図６は、本発明の実施の形態である建具の要部を拡大して示す縦断面図である。
【図７】図７は、本発明の実施の形態である建具が火災等により加熱された場合を示す外観図である。
【図８】図８は、本発明の実施の形態である建具の変形例を室内側から示す外観図である。
【図９】図９は、本発明の実施の形態である建具の他の変形例を室内側から示す外観図である。
【図１０】図１０は、従来の建具を示す縦断面図である。
【発明を実施するための形態】
【００１３】
以下に添付図面を参照して、本発明に係る建具の好適な実施の形態について詳細に説明する。
【００１４】
図１〜図３は、それぞれ本発明の実施の形態である建具を示すものであり、図１は室内側から示す外観図、図２は横断面図、図３は縦断面図である。ここで例示する建具は、いわゆる引き違い窓と称されるもので、開口枠１０と、複数（図示の例では２つ）の障子２０，３０とを備えて構成してある。
【００１５】
開口枠１０は、上枠１１、下枠１２及び左右一対の縦枠１３，１４を四周枠組みすることによって矩形状に構成したものであり、矩形状の開口１５を有している。この開口枠１０の各枠１１，１２，１３，１４は、それぞれアルミニウムやアルミニウム合金の押し出し形材によって所定の横断面形状を有するように構成してある。ここで上記上枠１１には、長手方向に沿って延在するレール１１ａが設けてあるとともに、上記下枠１２には、長手方向に沿って延在するレール１２ｂが設けてある。
【００１６】
上記開口枠１０は、図１〜図３には明示しないが、図１０に示す従来例と同様に各枠１１，１２，１３，１４が建物躯体１に設けられたアンカー部材（３）に支持され、かつ各枠１１，１２，１３，１４と建物躯体１との間の空間にモルタル等の充填材（４）が充填されて建物躯体１に支持してある。
【００１７】
内側の障子（以下、内障子ともいう）２０は、上框２１、下框２２及び左右一対の縦框２３，２４を四周框組みすることによって矩形状に構成した框体の内部に面材２５を保持したものである。ここで内障子２０の各框２１，２２，２３，２４は、アルミニウムやアルミニウム合金の押し出し形材によって所定の横断面形状を有するように構成してある。
【００１８】
上記内障子２０は、戸車２６を有している。戸車２６は、例えばプラスチック等の樹脂材から構成される樹脂製のものであり、下框２２に設けてある。戸車２６は、図には明示していないが、下框２２の見込み方向に沿って延在する軸部の中心軸回りに回転可能となるよう下框２２に設けてあり、その一部の外端面が下框２２の下側見込み面２２ａの切欠部分（図示せず）より下方に突出している。このような戸車２６は、上記切欠部分より下方に突出する部分の外端面がレール１２ｂの上端面に転動可能に載置してある。尚、内障子２０の上框２１には、長手方向に沿って延在する挿入部２１ａが形成してあり、かかる挿入部２１ａには、上枠１１のレール１１ａが挿入している。
【００１９】
外側の障子（以下、外障子ともいう）３０は、上框３１、下框３２及び左右一対の縦框３３，３４を四周框組みすることによって矩形状に構成した框体の内部に面材３５を保持したものである。ここで外障子３０の各框３１，３２，３３，３４は、アルミニウムやアルミニウム合金の押し出し形材によって所定の横断面形状を有するように構成してある。
【００２０】
上記外障子３０は、戸車３６を有している。戸車３６は、例えばプラスチック等の樹脂材から構成される樹脂製のものであり、下框３２に設けてある。戸車３６は、図には明示していないが、下框３２の見込み方向に沿って延在する軸部の中心軸回りに回転可能となるよう下框３２に設けてあり、その一部の外端面が下框３２の下側見込み面３２ａの切欠部分（図示せず）より下方に突出している。このような戸車３６は、上記切欠部分より下方に突出する部分の外端面がレール１２ｂの上端面に転動可能に載置してある。尚、外障子３０の上框３１には、長手方向に沿って延在する挿入部３１ａが形成してあり、かかる挿入部３１ａには、上枠１１のレール１１ａが挿入している。
【００２１】
これら障子２０，３０は、戸車２６，３６がレール１２ｂを転動することでそれぞれが下枠１２の長手方向に沿って、すなわち左右方向に沿って開閉移動するものである。
【００２２】
そして、内障子２０の右側の縦框（以下、右縦框ともいう）２４が右側の縦枠（以下、右縦枠ともいう）１４に当接し、かつ外障子３０の左側の縦框（以下、左縦框ともいう）３３が左側の縦枠（以下、左縦枠ともいう）１３に当接した場合に、内障子２０の左側の縦框（以下、左縦框ともいう）２３と外障子３０の右側の縦框（以下、右縦框ともいう）３４とが下枠１２の長手方向（左右方向）の中央部分１２ａの上方にて互いに対向することで、上記開口１５を閉じるようにそれぞれの寸法が設定してある。このような障子２０，３０では、右縦框２４と左縦框３３とが戸先框となり、左縦框２３と右縦框３４とが召し合わせ框となる。
【００２３】
図４は、図３に示した要部を拡大して示す縦断面図である。この図４にも示すように、上記障子２０，３０は、スペーサ部材４０を備えている。スペーサ部材４０は、例えばアルミニウム、鉄、ステンレス等の樹脂製の戸車２６，３６よりも耐火性に優れた材料により構成されるもので、図５−１〜図５−３に示すように、基部４１と下延部４２とを有している。
【００２４】
基部４１は、上方若しくは下方から見た場合に、室内外方向（障子２０，３０の見込み方向）よりも左右方向が長手方向となる矩形状の形態を成す部位であり、中央部分４１１よりも室外側端部４１２及び室内側端部４１３が僅かに上方に位置するよう屈曲されて構成してある。この基部４１の中央部分４１１には、取付用貫通孔４１ａが形成してある。下延部４２は、基部４１の室外側端部４１２より下方に向けて延在する部位である。
【００２５】
このような構成を有するスペーサ部材４０は、図１及び図４に示すように、障子２０，３０の下側見込み面２２ａ，３２ａにおいて、障子２０，３０の重心よりも召し合わせ框（左縦框２３及び右縦框３４）に近接した個所に、取付用貫通孔４１ａを貫通する取付ネジ５０の先端部が下側見込み面２２ａ，３２ａに螺合することで取り付けてある。この場合、スペーサ部材４０の基部４１は、レール１２ｂの上端部から所定距離だけ離隔して該上端部に対向している。つまり、スペーサ部材４０は、基部４１がレール１２ｂの上端部から離隔していることで戸車２６，３６がレール１２ｂを転動することを許容するものである。ここで、スペーサ部材４０の下側見込み面２２ａ，３２ａからの基部４１の下方への突出高さの大きさであるが、これは該スペーサ部材４０が適用される建具の寸法や強度等によって定められるもので、戸車２６，３６がレール１２ｂを転動することを許容しつつ、該戸車２６，３６が消失した場合に該レール１２ｂに載置されるものであればその大きさは特に限定されるものではない。
【００２６】
以上のような構成を有する建具においては、火災等により加熱された場合には、樹脂製の戸車２６，３６は溶融して消失してしまう。また、開口枠１０を支持するために用いられるモルタル等の充填材（４）の充填部分に空隙があるため、充填部分が破損等することにより、開口枠１０の各枠１１，１２，１３，１４は変形しやすくなる。特に下枠１２は、障子２０，３０の自重が作用しており、左右両端部が縦枠１３，１４に連結されているために、長手方向の中央部分１２ａが垂れ下がるように変形してしまうことになる。
【００２７】
このように戸車２６，３６が消失して、長手方向の中央部分１２ａが垂れ下がるように下枠１２が変形した場合、障子２０，３０は、下側見込み面２２ａ，３２ａがレール１２ｂに載置された状態となるが、スペーサ部材４０が配設された部分では、図６に示すように、該スペーサ部材４０がレール１２ｂに載置される。尚、図６では、外障子３０に設けたスペーサ部材４０が下枠１２のレール１２ｂに載置される状態を示しているが、内障子２０に設けたスペーサ部材４０も下枠１２のレール１２ｂに載置される。ここでスペーサ部材４０は下側見込み面２２ａ，３２ａから下方へ突出しており、しかも障子２０，３０の重心より召し合わせ框（左縦框２３及び右縦框３４）に近接した個所に設けてあるので、スペーサ部材４０がレール１２ｂに載置される個所が、下側見込み面２２ａ，３２ａがレール１２ｂに載置される個所よりも相対的に高くなる結果、図７に示すように、下枠１２の長手方向の中央部分１２ａが垂れ下がっても障子２０，３０が傾くことを抑制できる。これにより、開口枠１０と障子２０，３０との間に隙間が生ずることを抑制させることができ、隙間を火炎等が通過することを規制して防火性能を良好なものとすることができる。
【００２８】
よって、本実施の形態である建具によれば、開口枠１０の下枠１２が変形した場合にも障子２０，３０が傾くことを抑制して防火性能を良好なものとすることができる。
【００２９】
以上、本発明の好適な実施の形態について説明したが、本発明はこれに限定されるものではなく、種々の変更を行うことができる。
【００３０】
上述した実施の形態では、２枚の障子２０，３０を有する引き違い窓を例示したが、本発明においては、片引き窓に適用することもできる。
【００３１】
上述した実施の形態では、２枚の障子２０，３０を有する引き違い窓を例示したが、本発明においては、以下に説明するように、３枚以上の障子を有する引き違い窓にも適用することができる。
【００３２】
図８は、本発明の実施の形態である建具の変形例を室内側から示す外観図である。尚、この図８において、上述した実施の形態と同一の構成を有するものには同一の符号を付している。
【００３３】
この図８に示すように、開口枠１０には複数（図示の例では４つ）の障子５１，５２，５３，５４が設けてある。これら障子５１等は、上記障子２０，３０と同様に、上框５１ａ等、下框５１ｂ等及び左右一対の縦框５１ｃ，５１ｄ等を四周框組みすることによって矩形状に構成した框体の内部に面材５１ｅ等を保持したものである。そして、これら障子５１等が移動することで開口枠１０の開口１５を開閉することができる。
【００３４】
かかる建具においては、下枠１２の長手方向の中央部分１２ａの上方で互いの縦框５２ｃ，５３ｃが対向する障子（以下、中央側障子ともいう）５２，５３には、それぞれ下框５２ｂ，５３ｂにおける該中央側障子５２，５３の重心よりも各縦框５２ｃ，５２ｄ，５３ｃ，５３ｄに近接する個所にスペーサ部材４０が設けてある。また、最も左方に位置する障子５１は、上記開口１５を閉じた状態では、右方側の縦框５１ｄが上記中央側障子５２の縦框５２ｃと対向することとなる。この障子５１においても、該障子５１の重心よりも該縦框５１ｄに近接する個所にスペーサ部材４０が設けてある。更に、最も右方に位置する障子５４は、上記開口１５を閉じた状態では、左方側の縦框５４ｃが上記中央側障子５３の縦框５３ｄと対向することとなる。この障子５４においても、該障子５４の重心よりも該縦框５４ｃに近接する個所にスペーサ部材４０が設けてある。
【００３５】
このような建具においては、障子５１等の数が上述した実施の形態の建具よりも多いことから、該建具よりも上枠１１及び下枠１２の長手方向の延在長さが大きくなる。そのため、火災等により加熱される場合に、下枠１２の中央部分１２ａが上述した実施の形態の建具よりもより垂れ下がることとなる。そこで、中央側障子５２（５３）に設けたスペーサ部材４０のうち、隣接する中央側障子５３（５２）の縦框５３ｃ（５２ｄ）と対向する縦框５２ｄ（５３ｃ）に近接するスペーサ部材４０については、他のスペーサ部材４０よりも下方に突出するよう該中央側障子５２，５３の下側見込み面に取り付けてあることが好ましい。
【００３６】
このような構成によれば、火災等で加熱されることで戸車が溶融して消失した場合、スペーサ部材４０が下枠１２のレールに載置されることで、中央側障子５２（５３）では他の中央側障子５３（５２）と対向する縦框５２ｄ（５３ｃ）に近接する個所を他の障子５１等と対向する縦框５２ｃ（５３ｄ）に近接する個所よりも相対的に高く配置することができ、しかも中央側障子５２，５３以外の障子５１等では中央側障子５２，５３と対向する縦框５１ｄ，５４ｃに近接する個所を縦枠１３，１４と対向する縦框５１ｃ，５４ｄに近接する個所よりも相対的に高く配置することができる。そのため、下枠１２が長手方向の中央部分１２ａよりも垂れ下がるよう変形しても、スペーサ部材４０がレールに載置されることで、障子５１等が傾くことを抑制でき、開口枠１０と障子５１等との間に隙間が生ずることを抑えることができる。よって、開口枠１０の下枠１２が変形した場合にも障子５１等が傾くことを抑制して防火性能を良好なものとすることができる。
【００３７】
尚、図８においては、中央側障子５２，５３だけでなく、最も左方に位置する障子５１及び最も右方に位置する障子５４にもスペーサ部材４０を設けた例について説明したが、本発明においては、開口枠の開口を閉じた状態において、下枠の長手方向の中央部分の上方にて隣り合う他の障子（図８では一方の中央側障子）と対向する縦框を有する障子（図８では他方の中央側障子）において、該障子の重心よりも上記縦框に近接する個所にスペーサ部材が設けられているだけでも良い。これによっても、下枠が長手方向の中央部分よりも垂れ下がるよう変形しても、スペーサ部材がレールに載置されることで、開口枠と障子との間に隙間が生ずることを抑えることができ、開口枠の下枠が変形した場合にも障子が傾くことを抑制して防火性能を良好なものとすることができる。
【００３８】
図９は、本発明の実施の形態である建具の他の変形例を室内側から示す外観図である。尚、この図９において、上述した実施の形態と同一の構成を有するものには同一の符号を付している。
【００３９】
この図９に示すように、開口枠１０には複数（図示の例では３つ）の障子６１，６２，６３が設けてある。これら障子６１等のうち、最も右方に位置する障子６３は開口枠１０に固定されている。該障子６３を除く障子６１，６２は、上記障子２０，３０と同様に、上框６１ａ等、下框６１ｂ等及び左右一対の縦框６１ｃ，６１ｄ等を四周框組みすることによって矩形状に構成した框体の内部に面材６１ｅ等を保持したものである。そして、これら障子６１等が移動することで開口枠１０の開口１５を開閉することができる。
【００４０】
かかる建具においては、開口１５を閉じた状態で下枠１２の長手方向の中央部分１２ａの上方に配置される障子（以下、中央障子ともいう）６２には、下框６２ｂにおける該中央障子６２の重心よりも各縦框６２ｃ，６２ｄに近接する個所にスペーサ部材４０が設けてある。また、最も左方に位置する障子６１は、上記開口１５を閉じた状態では、右方側の縦框６１ｄが上記中央障子６２の縦框６２ｃと対向することとなる。この障子６１においても、該障子６１の重心よりも該縦框６１ｄに近接する個所にスペーサ部材４０が設けてある。
【００４１】
このような構成によれば、火災等で加熱されることで戸車が溶融して消失した場合、スペーサ部材４０が下枠１２のレールに載置されることで、中央障子６２では各縦框６２ｃ，６２ｄに近接する個所の高さレベルを等しくすることができ、しかも左方に位置する障子６１では中央障子６２と対向する縦框６１ｄに近接する個所を縦枠１３と対向する縦框６１ｃに近接する個所よりも相対的に高く配置することができる。そのため、下枠１２が長手方向の中央部分１２ａよりも垂れ下がるよう変形しても、スペーサ部材４０がレールに載置されることで、障子６１，６２が傾くことを抑制でき、開口枠１０と障子６１，６２との間に隙間が生ずることを抑えることができる。よって、開口枠１０の下枠１２が変形した場合にも障子６１，６２が傾くことを抑制して防火性能を良好なものとすることができる。
【００４２】
尚、図９においては、最も左方に位置する障子６１だけでなく中央障子６２にもスペーサ部材４０を設けた例について説明したが、本発明においては、開口枠の開口を閉じた状態で、下枠の長手方向の中央部分の上方に配置される障子（図９では中央障子）と対向する縦框を有する障子（図９では最も左方に位置する障子）において、該障子の重心よりも上記縦框に近接する個所にスペーサ部材が設けられているだけでも良い。
【００４３】
図８及び図９においては、障子が４つ設けられた建具と、障子が３つ設けられた建具について例示したが、本発明においては、障子の数は特に限定されるものではない。また、スペーサ部材についても、火災等により加熱されて開口枠の下枠が変形した場合に、その下枠に沿って障子が下枠の長手方向の中央部分に向かって傾いてしまうことがないように設けられていればよいので、スペーサ部材は、障子に対し複数個設けられていても良い。
【００４４】
上述した実施の形態では、スペーサ部材４０は、下框の下側見込み面２２ａ，３２ａにレール１２ｂに対向する状態で設けてあったが、本発明においては、スペーサ部材は、下枠のレールを臨むよう該レールよりも上方側の個所に配設されるのであれば、下側見込み面に限られずその配設部分は特に限定されるものではない。
【００４５】
本発明に係る建具は、建物開口に設けられた開口枠と、前記開口枠を構成する下枠のレールを転動する戸車を備え、かつ前記下枠の長手方向に沿って移動可能な障子とを備え、前記障子が移動することで前記開口枠の開口を開閉する建具において、前記開口が閉じた状態で、前記下枠の長手方向の中央部分の上方にて隣り合う他の障子と対向する縦框、あるいは前記開口の一部を閉塞する閉塞部材と前記下枠の長手方向の中央部分の上方にて対向する縦框を有する障子は、前記戸車よりも耐火性に優れた材料により形成されたスペーサ部材を備え、前記スペーサ部材は、前記障子の重心よりも前記縦框側に位置し、かつ前記レールよりも上方に配設されたことを特徴とする。
【００４６】
この発明によれば、火災等で加熱されることで戸車が溶融して消失した場合、スペーサ部材が下枠のレールに載置されることで障子の重心よりも他の障子等と対向する縦框に近接した個所を障子の重心より他の縦框側よりも相対的に高く配置することができる。そのため、下枠が長手方向の中央部分よりも垂れ下がるよう変形しても、スペーサ部材がレールに載置されることで、障子が傾くことを抑制でき、開口枠と障子との間に隙間が生ずることを抑えることができる。
【００４７】
また、本発明に係る建具は、建物開口に設けられた開口枠と、前記開口枠を構成する下枠のレールを転動する戸車を備え、かつ前記下枠の長手方向に沿って移動可能な障子とを備え、前記障子が移動することで前記開口枠の開口を開閉する建具において、前記開口が閉じた状態で、前記下枠の長手方向の中央部分の上方に配置される他の障子と対向する縦框を有する障子は、前記戸車よりも耐火性に優れた材料により形成されたスペーサ部材を備え、前記スペーサ部材は、前記障子の重心よりも前記縦框側に位置し、かつ前記レールよりも上方に配設されたことを特徴とする。
【００４８】
この発明によれば、火災等で加熱されることで戸車が溶融して消失した場合、スペーサ部材が下枠のレールに載置されることで障子の重心よりも他の障子と対向する縦框に近接した個所を障子の重心より他の縦框側よりも相対的に高く配置することができる。そのため、下枠が長手方向の中央部分よりも垂れ下がるよう変形しても、スペーサ部材がレールに載置されることで、障子が傾くことを抑制でき、開口枠と障子との間に隙間が生ずることを抑えることができる。
【００４９】
また本発明は、上記建具において、前記障子は、上框、下框及び左右一対の縦框を四周框組みして構成された框体に面材を保持させてなり、前記スペーサ部材は、前記下框の見込み面に前記レールの上端部に対向した状態で配設されたことを特徴とする。
【００５０】
この発明によれば、火災等で加熱されることで戸車が溶融して消失した場合、スペーサ部材を下枠のレールに確実に載置させることができる。
【００５１】
また本発明は、上記建具において、前記障子の前記縦框の一方は召し合わせ框となり、前記縦框の他方は、前記開口枠を構成する縦枠に当接する戸先框となることを特徴とする。
【００５２】
この発明によれば、火災等で加熱されることで戸車が溶融して消失した場合、スペーサ部材が下枠のレールに載置されることで障子の重心よりも他の障子等と対向する縦框に近接した個所を障子の重心より戸先框側よりも相対的に高く配置することができる。そのため、下枠が長手方向の中央部分よりも垂れ下がるよう変形しても、スペーサ部材がレールに載置されることで、障子が傾くことを抑制でき、開口枠と障子との間に隙間が生ずることを抑えることができる。
【００５３】
本発明に係る建具は、建物開口に設けられた開口枠と、前記開口枠を構成する下枠のレールを転動する戸車を備え、かつ前記下枠の長手方向に沿って移動可能な障子とを備え、前記障子が移動することで前記開口枠の開口を開閉する建具において、前記開口が閉じた状態で、前記下枠の長手方向の中央部分の上方にて隣り合う他の障子と対向する縦框、あるいは前記開口の一部を閉塞する閉塞部材と前記下枠の長手方向の中央部分の上方にて対向する縦框を有する障子は、前記戸車よりも耐火性に優れた材料により形成されたスペーサ部材を備え、前記スペーサ部材は、前記障子の重心よりも前記縦框に近接する個所のみに配置されると共に、前記障子の下框の見込み面に取り付けられることにより、前記レールの上端部から上方に離隔した位置に配置されており、前記スペーサ部材は、上面に凹部を有し、前記下框は、前記見込み面に凸部を有し、前記スペーサ部材は、前記凹部に前記凸部が挿入されることにより、前記下框の見込み面に対して見込み方向に位置決めされていることを特徴とする。
【００５４】
また本発明は、前記スペーサ部材は、ネジが挿通される取付用貫通孔を有し、該取付用貫通孔を下から上に挿通した前記ネジによって前記下框の見込み面に締結されており、前記ネジは、その頭部が前記取付用貫通孔内に収容され、前記レールの上端部と前記スペーサ部材との間に形成された空間には突出していないことを特徴とする。
【００５５】
また本発明は、前記スペーサ部材の前記凹部は、前記上面の見込み方向で中央部分に設けられ、前記下框は、前記見込み面を設けた板部に厚肉部を有すると共に、該厚肉部に前記凸が設けられ、前記ネジは、前記厚肉部に対して螺合していることを特徴とする。
【００５６】
また本発明は、前記スペーサ部材の上面には、前記凹部を跨いで見込み方向に並んだ一対の凸部が設けられ、前記下框の見込み面には、前記凸部を跨いで見込み方向に並んだ一対の凹部が設けられ、前記スペーサ部材の前記一対の凸部が、それぞれ前記下框の前記一対の凹部に挿入されていることを特徴とする。
【００５７】
また本発明は、前記スペーサ部材は、前記レールの上端部に対向した状態で前記下框の見込み面に取り付けられる基部と、該基部の室外側端部より下方に向けて延在した下延部と、を有し、前記下框は、前記見込み面の室外側端部より下方に向けて延在した壁部を有し、前記スペーサ部材の前記下延部は、前記レールと前記壁部との間に配置されると共に、該レール及び該壁部に対して離隔した状態にあることを特徴とする。
【００５８】
本発明に係る建具は、建物開口に設けられた開口枠と、前記開口枠を構成する下枠のレールを転動する戸車を備え、かつ前記下枠の長手方向に沿って移動可能な障子とを備え、前記障子が移動することで前記開口枠の開口を開閉する建具において、前記開口が閉じた状態で、前記下枠の長手方向の中央部分の上方にて隣り合う他の障子と対向する縦框、あるいは前記開口の一部を閉塞する閉塞部材と前記下枠の長手方向の中央部分の上方にて対向する縦框を有する障子は、前記戸車よりも耐火性に優れた材料により形成されたスペーサ部材を備え、前記スペーサ部材は、前記障子の重心よりも前記縦框に近接する個所のみに配置されると共に、前記障子の下框の見込み面に取り付けられることにより、前記レールの上端部から上方に離隔した位置に配置されており、前記スペーサ部材は、ネジが挿通される取付用貫通孔を有し、該取付用貫通孔を下から上に挿通した前記ネジによって前記下框の見込み面に締結されており、前記ネジは、その頭部が前記取付用貫通孔内に収容され、前記レールの上端部と前記スペーサ部材との間に形成された空間には突出していないことを特徴とする。
【符号の説明】
【００５９】
１０  開口枠、１２  下枠、１２ａ  中央部分、１２ｂ  レール、１５  開口、２０  内障子、２１  上框、２２  下框、２２ａ  下側見込み面、２３  縦框、２４  縦框、２５  面材、２６  戸車、３０  内障子、３１  上框、３２  下框、３２ａ  下側見込み面、３３  縦框、３４  縦框、３５  面材、３６  戸車、４０  スペーサ部材、４１  基部、４２  下延部、５０  取付ネジ
【図１】
2018168695.tif 000003
【図２】
2018168695.tif 000004
【図３】
2018168695.tif 000005
【図４】
2018168695.tif 000006
【図５−１】
2018168695.tif 000007
【図５−２】
2018168695.tif 000008
【図５−３】
2018168695.tif 000009
【図６】
2018168695.tif 000010
【図７】
2018168695.tif 000011
【図８】
2018168695.tif 000012
【図９】
2018168695.tif 000013
【図１０】
2018168695.tif 000014